(57)【要約】【課題】少ない作業負担で屋外設置機器の盗難防止を実現する。【解決手段】機器本体部１０１と当該機器本体部を支持構造体２０１に取り付ける装着部１５０とを有する屋外設置機器１００の盗難防止器１０において、断面凹状であって、その凹部を対向させた状態で屋外設置機器を挟むように装着される一対のカバー体２０Ｌ，２０Ｒを備え、当該一対のカバー体は、装着部に設けられた機器固定用のネジ１１１を凹部の内側に収容すると共に、屋外設置機器を挟んで装着した状態を維持するための錠前の取り付け部２１３Ｌ，２１３Ｒを有している。これにより、錠前を取り付け部で施錠することにより屋外設置機器に盗難防止器を固定することができる。【選択図】図１
2015012420.tif 000002
【特許請求の範囲】
【請求項１】
機器本体部と当該機器本体部を支持構造体に取り付ける装着部とを有する屋外設置機器の盗難防止器において、
断面凹状であって、その凹部を対向させた状態で前記屋外設置機器を挟むように装着される一対のカバー体を備え、
当該一対のカバー体は、前記装着部に設けられた機器固定用のネジを前記凹部の内側に収容すると共に、前記屋外設置機器を挟んで装着した状態を維持するための錠前の取り付け部を有することを特徴とする屋外設置機器の盗難防止器。
【請求項２】
前記一対のカバー体をヒンジ部材により互いに回動可能に連結し、相互の回動端部寄りの位置に前記錠前の取り付け部を設けたことを特徴とする請求項１記載の屋外設置機器の盗難防止器。
【請求項３】
前記一対のカバー体は相互に分離可能であり、接合した状態で各々の前記取り付け部に錠前を取り付けることにより一体状態を維持することを特徴とする請求項１記載の屋外設置機器の盗難防止器。
【請求項４】
前記屋外設置機器の装着部は、前記機器本体を角度調節可能に支持する一対のアーム部を有する支持部材と、前記支持構造体に固定される固定部材とを有し、
前記一対のカバー体は、前記一対のアーム部の間の領域を被覆しないように開口部を有することを特徴とする請求項１から３のいずれか一項に記載の屋外設置機器の盗難防止器。
【請求項５】
前記一対のカバー体は、前記支持部材を前記固定部材に固定する前記機器固定用のネジを、外部から見えないように遮蔽する遮蔽板を備えることを特徴とする請求項４記載の屋外設置機器の盗難防止器。
【請求項６】
前記錠前の取り付け部は、いずれも前記一対のカバー体の表面から突出した状態で形成され、
前記遮蔽板は、二つの前記錠前の取り付け部を挿入可能な挿入穴を有することを特徴とする請求項５記載の屋外設置機器の盗難防止器。
【請求項７】
前記機器固定用のネジは、前記一対のアーム部の先端部で前記機器本体を支持するネジであり、当該ネジが前記カバー体の凹部の内側に収容されるように、前記一対のカバー体が前記一対のアーム部を被覆することを特徴とする請求項４から６のいずれか一項に記載の屋外設置機器の盗難防止器。
【発明の詳細な説明】
【技術分野】
【０００１】
本発明は、屋外に設置されている機器類の盗難防止器に関する。
【背景技術】
【０００２】
支持構造物、例えば、支柱等に設置される各種の屋外機器の多くは、ボルトやネジ等の金具により取り付けが行われている。
このような屋外機器を固定するボルトやネジ等は、一般的な規格に応じた工具により容易に取り外すことができることから、近年は屋外機器の盗難が増加する傾向にある。
【０００３】
そこで、盗難防止の観点から、一般的な規格によらない特殊な構造の溝が頭部に形成されたネジを用いるように発明が提案されている（例えば、特許文献１参照）。
【先行技術文献】
【特許文献】
【０００４】
【特許文献１】特開２０１２−１３２５５３号公報
【発明の概要】
【発明が解決しようとする課題】
【０００５】
上記特殊構造のネジは、ネジの頭の形状に応じた特殊な工具が必要であることから、取り外しが困難となり、盗難防止のみを主目的とする限りは有効である。
しかしながら、既設の屋外機器に対して上記特殊構造のネジを採用する場合、屋外機器の取り付けに使用されている全てのネジの交換作業が必須となり、煩雑且つ作業負担が大きくなることが問題となっていた。特に、既設の屋外機器が複数存在する場合には、その作業負担が顕著に大きくなっていた。
【０００６】
本発明は、より小さな負担で屋外設置機器の盗難防止を図ることをその目的とする。
【課題を解決するための手段】
【０００７】
本発明は、機器本体部と当該機器本体部を支持構造体に取り付ける装着部とを有する屋外設置機器の盗難防止器において、断面凹状であって、その凹部を対向させた状態で前記屋外設置機器を挟むように装着される一対のカバー体を備え、
当該一対のカバー体は、前記装着部に設けられた機器固定用のネジを前記凹部の内側に収容すると共に、前記屋外設置機器を挟んで装着した状態を維持するための錠前の取り付け部を有することを特徴とする。
【０００８】
上記構成では、断面凹状の一対のカバー体により、支持構造体に対する機器固定用のネジを凹部の内側に収容するので、ネジに対する外部からの操作を阻むことができ、屋外設置機器の取り外しによる盗難を効果的に低減することが可能となる。
また、屋外設置機器を挟んだ状態を維持するための錠前の取り付け部を一対のカバー体に設けたので、屋外設置機器に対する屋外設置機器盗難防止器の取り付け作業を錠前の施錠により行うことができ、従来のように、ネジ一つ一つを交換する手間を不要とし、取り付け作業の簡易化、迅速化及び作業負担の軽減を図ることが可能となる。
【０００９】
また、上記発明において、前記一対のカバー体をヒンジ部材により互いに回動可能に連結し、相互の回動端部寄りの位置に前記錠前の取り付け部を設ける構成としても良い。
これにより、一対のカバー体が相互に連結され、部品点数が低減されると共にカバー体の回動動作により屋外設置機器に装着することができ、屋外設置機器に対する装着作業を容易に行うことができ、作業性の向上を図ることが可能となる。
【００１０】
また、上記発明において、前記一対のカバー体は相互に分離可能であり、接合した状態で各々の前記取り付け部に錠前を取り付けることにより一体状態を維持する構成としても良い。
この場合には、一対のカバー体を相互に連結する必要がないので、屋外設置機器盗難防止器の構造の簡易化を図り、その製造の容易化を図ることが可能となる。
【００１１】
また、上記発明において、前記屋外設置機器の装着部は、前記機器本体を角度調節可能に支持する一対のアーム部を有する支持部材と、前記支持構造体に固定される固定部材とを有し、前記一対のカバー体は、前記一対のアーム部の間の領域を被覆しないように開口部を有する構成としても良い。
この場合には、開口部により一対のアーム部の間の領域が被覆されないので、カバー体が妨げることなくその間の機器本体の角度調節を可能とする。
【００１２】
また、上記発明において、前記一対のカバー体は、前記支持部材を前記固定部材に固定する前記機器固定用のネジを、外部から見えないように遮蔽する遮蔽板を備える構成としても良い。
この場合には、機器本体の角度調節を可能とするために設けられた支持部材を固定するための機器固定用のネジが遮蔽板により外部から操作できないようにすることができ、支持部材と機器本体とを固定部材から外して盗難することをより効果的に防止することが可能となる。
【００１３】
また、上記発明において、前記錠前の取り付け部は、いずれも前記一対のカバー体の表面から突出した状態で形成され、前記遮蔽板は、二つの前記錠前の取り付け部を挿入可能な挿入穴を有する構成としても良い。
この場合には、挿入穴に錠前の取り付け部を挿入して錠前を施錠することで、一対のカバー体に対する遮蔽板の装着も行うことができ、屋外設置機器盗難防止器の取り付け作業を簡易且つ迅速に行うと共に作業負担の軽減を図ることが可能となる。
【００１４】
また、上記発明において、前記機器固定用のネジは、前記一対のアーム部の先端部で前記機器本体を支持するネジであり、当該ネジが前記カバー体の凹部の内側に収容されるように、前記一対のカバー体が前記一対のアーム部を被覆する構成としても良い。
この場合には、アーム部の先端部で前記機器本体を支持するネジを外部から操作できないようにすることができ、機器本体を支持部材から外して盗難することをより効果的に防止することが可能となる。
【発明の効果】
【００１５】
以上のように、本発明によれば、個々のネジの交換などの繁雑な作業を不要とし、一対のカバー体を施錠により装着するという簡易な作業により屋外設置機器盗難防止器を取り付けることができるので、より小さな作業負担で屋外設置機器の盗難防止を図ることが可能となる。
【図面の簡単な説明】
【００１６】
【図１】本発明の第一の実施形態である屋外設置機器に装着した屋外設置機器盗難防止器の斜視図である。
【図２】屋外設置機器の斜視図である。
【図３】屋外設置機器の平面図である。
【図４】屋外設置機器に装着した盗難防止器の平面図である。
【図５】屋外設置機器に装着した盗難防止器の側面図である。
【図６】図６（Ａ）は盗難防止器の平面図、図６（Ｂ）は正面図、図６（Ｃ）は背面図である。
【図７】図７（Ａ）は盗難防止器の底面図、図７（Ｂ）は側面図である。
【図８】図８（Ａ）は図６（Ａ）のＳ−Ｓ線に沿った断面図、図８（Ｂ）は図６（Ａ）のＴ−Ｔ線に沿った断面図である。
【図９】一対のカバー体に装着する遮蔽板の斜視図である。
【図１０】屋外設置機器に装着した盗難防止器の開口窓を示す側面図である。
【図１１】盗難防止器を屋外設置機器に装着する作業であって一対のカバー体の取り付け前の状態を示す斜視図である。
【図１２】盗難防止器を屋外設置機器に装着する作業であって一対のカバー体の取り付けた状態を示す斜視図である。
【図１３】盗難防止器を屋外設置機器に装着する作業であって一対のカバー体に遮蔽板を取り付ける前の状態を示す斜視図である。
【図１４】盗難防止器を屋外設置機器に装着する作業であって一対のカバー体に遮蔽板を取り付けた状態を示す斜視図である。
【図１５】本発明の第二の実施形態である屋外設置機器の盗難防止器の斜視図である。
【図１６】本発明の第三の実施形態である屋外設置機器の盗難防止器の遮蔽板の構造を示す斜視図である。
【図１７】本発明の第三の実施形態である屋外設置機器の盗難防止器の遮蔽板の構造を示す斜視図である。
【図１８】本発明の第三の実施形態である屋外設置機器の盗難防止器の遮蔽板の構造を示す断面図である。
【発明を実施するための形態】
【００１７】
［第一の実施形態］
以下、図面を参照して、本発明の第一の実施形態について詳細に説明する。第一の実施形態としての屋外設置機器の盗難防止器１０は、図１に示すように、屋外設置機器としての踏切用のスピーカー装置１００の盗難防止を図るものである。
【００１８】
［スピーカー装置］
上記スピーカー装置１００は、例えば、踏み切りの警報音を発するためのものであり、図２及び図３に示すように、支持構造体として踏切表示器の支柱２０１の上端部に取り付けられている。
スピーカー装置１００は、機器本体部としてのスピーカー１０１と、当該スピーカー１０１を支持構造体としての支柱２０１に取り付ける装着部１５０とを備えており、当該装着部１５０は、スピーカー１０１を支柱２０１に固定するための固定部材１１０と、一対のアーム部１２１，１２１の先端部でスピーカー１０１を支持する支持部材１２０とを備えている。
上記スピーカー１０１は、樹脂製又は金属製のホーンを備えたホーン型のスピーカーである。
【００１９】
固定部材１１０は、上端部が閉塞された略円筒状のキャップであり、支柱２０１の上端部に被せることが可能となっている。この固定部材１１０は鋳物から形成されている。
固定部材１１０は、外周の三箇所に均一な角度間隔で外部から内部に貫通したネジ穴が形成されており、当該各ネジ穴にはネジとしての固定用ボルト１１１，１１１，１１１が装備されている。各固定用ボルト１１１，１１１，１１１は外側から各ネジ穴に螺入されており、各々の先端部が支柱２０１を三方から締結することより固定部材１１０の固定を行っている。なお、各固定用ボルト１１１，１１１，１１１には回り止めのナットが装備されている。
【００２０】
固定部材１１０の外周には平坦部１１２が形成されており、当該平坦部１１２には、支持部材１２０の基端部１２２が機器固定用のネジとしての取り付けボルト１１３，１１３により固定されている。
支持部材１２０は、耐候性のある金属（例えばステンレス）からなる短冊状の平板の両端部を同方向に直角に折曲して形成されており、折曲された両端部が一対のアーム部１２１，１２１を構成し、当該各アーム部１２１，１２１の間となる部位が基端部１２２となっている。そして、基端部１２２の背面（アーム部１２１の延出方向とは逆側となる面）を固定部材１１０の平坦部１１２の平面に密着させた状態で取り付けボルト１１３，１１３により固定されている。
なお、前述した固定部材１１０を支柱２０１に固定する三本の固定用ボルト１１１，１１１，１１１の内の一本は支持部材１２０を固定する二本の取り付けボルト１１３，１１３の間に配置されている。そして、当該ボルト１１１は、支持部材１２０の基端部１２２を貫通して固定部材１１０の固定を行っている。
【００２１】
支持部材１２０は、一対のアーム部１２１，１２１の先端部において、機器固定用のネジとしての支持ボルト１１４，１１４により、スピーカー１０１を支持している。スピーカー１０１の後端部（ホーンの逆側端部）には当該後端部を挟んで両外側に突出した柱状突起１０２，１０２が形成されており、これらの先端部にはネジ穴が形成されている。そして、支持ボルト１１４，１１４がアーム部１２１，１２１を貫通した状態で柱状突起１０２，１０２のネジ穴に螺入されている。
各支持ボルト１１４，１１４を緩めると、スピーカー１０１は支持部材１２０に対して支持ボルト１１４，１１４を中心として回動可能となり、その傾斜角度を調節することができる。角度調節後は、再び支持ボルト１１４，１１４を締結することにより、スピーカー１０１を調節後の傾斜角度に固定することが可能となっている。
【００２２】
［屋外設置機器の盗難防止器］
図１及び図４〜７に示すように、屋外設置機器の盗難防止器１０（以下、盗難防止器１０とする）は、スピーカー装置１００の装着部１５０に対して着脱可能な一対のカバー体２０Ｌ，２０Ｒを備えている。この一対のカバー体２０Ｌ，２０Ｒは、ヒンジ部材２６を介して互いの一端部が連結されており、互いの他端部が回動することによりスピーカー装置１００に対する着脱を可能としている。そして、これら一対のカバー体２０Ｌ，２０Ｒは、スピーカー装置１００に対して装着した状態（以下、単に「装着状態」という）で全体が直方体形状となっている。
なお、以下の説明において、図１に示すように、一対のカバー体２０Ｌ，２０Ｒの長手方向に沿った方向をＸ軸方向、盗難防止器１０に対する支柱２０１に沿った方向をＺ軸方向、これらに直交する方向をＹ軸方向とする。また、Ｘ軸方向の一方を「前」、他方を「後」としＹ軸方向の一方を「左」、他方を「右」とする。
【００２３】
上記一対のカバー体２０Ｌ，２０Ｒは、固定部材１１０及び支柱２０１を左右両側から挟み込むようにしてスピーカー装置１００に対する装着が行われる。そして、この一対のカバー体２０Ｌ，２０Ｒは各部の形状、構造が、固定部材１１０及び支柱２０１を挟んで互いに対称となっている。
各カバー体２０Ｌ，２０Ｒは、耐候性を有する金属（例えば、ステンレス）からなる平板の各部を折曲し溶接して略箱状に形成されている。そして、一対のカバー体２０Ｌ，２０Ｒは、それぞれ上面部２１Ｌ，２１Ｒ，側面部２２Ｌ，２２Ｒ，下面部２３Ｌ，２３Ｒ，前面部２４Ｌ，２４Ｒ，後面部２５Ｌ，２５Ｒを有している。
また、一対のカバー体２０Ｌ，２０Ｒの断面形状は、図８に示すように、上面部２１Ｌ，２１Ｒ，側面部２２Ｌ，２２Ｒ，下面部２３Ｌ，２３Ｒにより凹状となっている。なお、図６は一方のカバー体２０Ｒのみを図示しているが、他方のカバー体２０Ｌの断面形状もＸ−Ｚ平面を基準として対称となっている。そして、これらのカバー体２０Ｌ，２０Ｒは、装着状態において、その断面形状の凹部を互いに対向させた状態となっている。また、装着状態では、凹部による開口を互い合致させた状態となっている。
【００２４】
一対のカバー体２０Ｌ，２０Ｒの後面部２５Ｌ，２５Ｒは、図６（Ｃ）に示すように、Ｚ軸回りの支軸を有するヒンジ部材２６により連結されている。このヒンジ部材２６はその支軸にねじりコイルバネ２７が装備されており、一対のカバー体２０Ｌ，２０Ｒの前面部２４Ｌ，２４Ｒ側が互いに近接する方向に付勢している。
またヒンジ部材２６は、後面部２５Ｌ，２５Ｒに対してネジ止めされ、そのネジは後面部２５Ｌ，２５Ｒに溶接されており、工具による取り外しができないようになっている。なお、ヒンジ部材２６は、後面部２５Ｌ，２５Ｒに対してリベット付けしても良いし、溶接により固着しても良い。
【００２５】
一対のカバー体２０Ｌ，２０Ｒの上面部２１Ｌ，２１Ｒと下面部２３Ｌ，２３Ｒの後端部側には、図６（Ａ）及び図７（Ａ）に示すように、半円形の切り欠き部２１１Ｌ，２１１Ｒ及び２３１Ｌ，２３１Ｒが形成されている。この半円形の切り欠き２１１Ｌ，２１１Ｒ及び２３１Ｌ，２３１Ｒは、一対のカバー体２０Ｌ，２０Ｒの装着状態において合体して円形となるように位置が合致しており、スピーカー装置１００の固定部材１１０を嵌合させることが可能な寸法に設定されている。つまり、装着状態において、固定部材１１０は一対のカバー体２０Ｌ，２０Ｒに包持された状態となる。
また、固定部材１１０が一対のカバー体２０Ｌ，２０Ｒに包持されることにより、固定部材１１０の外周に取り付けられた機器固定用のネジとしての固定用ボルト１１１，１１１，１１１は一対のカバー体２０Ｌ，２０Ｒの内部空間に収容されるので、外部から操作できない状態となる。
【００２６】
さらに、一対のカバー体２０Ｌ，２０Ｒの上面部２１Ｌ，２１Ｒと下面部２３Ｌ，２３Ｒの前端部側には、図６（Ａ）及び図７（Ａ）に示すように、矩形の切り欠き部２１２Ｌ，２１２Ｒ及び２３２Ｌ，２３２Ｒが形成されている。この矩形の切り欠き２１２Ｌ，２１２Ｒ及び２３２Ｌ，２３２Ｒは、一対のカバー体２０Ｌ，２０Ｒの装着状態において合体して矩形となるように位置が合致している。
さらに、一対のカバー体２０Ｌ，２０Ｒの前面部２４Ｌ，２４Ｒも、図６（Ｂ）に示すように、上面部２１Ｌ，２１Ｒ及び下面部２３Ｌ，２３Ｒの前端部と同じ幅で切り欠かれている。
これにより、一対のカバー体２０Ｌ，２０Ｒの前端部の中央に矩形に大きく開口した開口部２８を形成することか可能となる。そして、一対のカバー体２０Ｌ，２０Ｒの内側領域であってこの開口部２８の周囲には、図４に示すように、スピーカー装置１００の支持部材１２０が格納される。この時、支持部材１２０の一対のアーム部１２１，１２１の間の領域は、一対のカバー体２０Ｌ，２０Ｒの前端部の開口部２８により外部に開かれた状態となる。従って、支持部材１２０に支持されたスピーカー１０１は、図５に示すように、一対のカバー体２０Ｌ，２０Ｒに妨げられることなく回動することができ、その角度調節が可能となる。
【００２７】
また、図４に示すように、一対のアーム部１２１，１２１は、一対のカバー体２０Ｌ，２０Ｒの内側領域内に格納された状態となるので、その先端部でスピーカー１０１を支持する機器固定用のネジとしての支持ボルト１１４，１１４は、一対のカバー体２０Ｌ，２０Ｒの上面部２１Ｌ，２１Ｒ，側面部２２Ｌ，２２Ｒ，下面部２３Ｌ，２３Ｒ，前面部２４Ｌ，２４Ｒとアーム部１２１，１２１と囲繞され、外部から内部の部品等を操作できない状態となる。
【００２８】
一対のカバー体２０Ｌ，２０Ｒの上面部２１Ｌ，２１Ｒの半円形の切り欠き部２１１Ｌ，２１１Ｒと矩形の切り欠き部２１２Ｌ，２１２Ｒとの間の部位には、装着状態において互いに近接対向する板状の錠前の取り付け部２１３Ｌ，２１３Ｒが設けられている。
この取り付け部２１３Ｌ，２１３Ｒは、近接対向状態において互いに対応する位置に貫通穴２１４Ｌ，２１４Ｒが形成されており（図７（Ｂ）参照）、これらの貫通穴２１４Ｌ，２１４Ｒに錠前７０の掛け金７１を同時に挿入して施錠することにより（図１参照）、一対のカバー体２０Ｌ，２０Ｒの相互の回動を阻止して、装着状態に維持することが可能となる。
【００２９】
ここで、一対のカバー体２０Ｌ，２０Ｒの前端部中央には、切り欠き部２１１Ｌ，２１１Ｒ及び切り欠き部２３１Ｌ，２３１Ｒにより大きく開口した開口部２８を形成しているため、支持部材１２０を固定部材１１０に固定する二本の取り付けボルト１１３，１１３とその間の固定ボルト１１１とが外部から操作可能となっている。
そこで、これらのボルト１１１，１１３，１１３を外部から見えないように遮蔽する遮蔽板３０を一対のカバー体２０Ｌ，２０Ｒの上面部２１Ｌ，２１Ｒに装備している。
【００３０】
図９の斜視図に示すように、遮蔽板３０は、上面部２１Ｌ，２１Ｒの切り欠き部２１１Ｌ，２１１Ｒと切り欠き部２３１Ｌ，２３１Ｒとの間の部位に載置される載置部３１と、載置部３１の前側端縁部から下方に垂下された遮蔽部３２と、載置部３１の後側端縁部の左右両端部から下方に垂下された固定片３３，３３とを備えている。
上記の遮蔽板３０の遮蔽部３２を、支持部材１２０の基端部１２２とスピーカー１０１との間に上方から挿入し、各固定片３３，３３を上面部２１Ｌ，２１Ｒの切り欠き部２１１Ｌ，２１１Ｒと切り欠き部２３１Ｌ，２３１Ｒとの間の部位に形成された挿入孔２１５Ｌ，２１５Ｒに挿入する。
【００３１】
上面部２１Ｌ，２１Ｒには取り付け部２１３Ｌ，２１３Ｒが立設されているが、載置部３１の左右方向の中央部には取り付け部２１３Ｌ，２１３Ｒを同時に挿入可能な挿入穴としてのスリット部３４が貫通形成されているので、取り付け部２１３Ｌ，２１３Ｒが妨げとなることなく遮蔽板３０の載置部３１が上面部２１Ｌ，２１Ｒに接するまで下降させて取り付けることができる。
【００３２】
遮蔽板３０の遮蔽部３２は、上下幅が一対のカバー体２０Ｌ，２０Ｒの上下幅に略一致しており、左右幅が一対のカバー体２０Ｌ，２０Ｒの矩形の切り欠き部２１２Ｌ，２１２Ｒの左右幅の合計に略一致するサイズで形成されているので、ボルト１１１，１１３，１１３に対する外部からの操作を阻止することが可能となっている。
また、スリット部３４に取り付け部２１３Ｌ，２１３Ｒの両方を挿入するので、取り付け部２１３Ｌ，２１３Ｒの密着状態を維持し、装着状態の一対のカバー体２０Ｌ，２０Ｒの間でのガタつきや隙間の発生を低減することが可能である。
さらに、スリット部３４に取り付け部２１３Ｌ，２１３Ｒを挿入するので、取り付け部２１３Ｌ，２１３Ｒに錠前７０を取り付けることで、遮蔽板３０の取り外しも阻止することが可能である。
【００３３】
図１０に示すように、屋外設置機器としてのスピーカー装置１００が定期的な検査の対象となる機器である場合、スピーカー装置１００には外部から観察可能な部位に設備番号、機器番号、管理番号、製造番号、製造年月日などが表示された銘板１１５が付されている。
カバー体２０Ｌにはスピーカー装置１００の銘板１１５の対応位置である側面部２２Ｌに開口窓２２１Ｌが形成されており、盗難防止器１０を取り付けた後でも銘板１１５の記載内容を確認することができるようになっている。
なお、この開口窓２２１Ｌは、上記の位置に限られず、銘板１１５が他の部位に設けられている場合には、その位置に対応する位置に設けても良い。また、銘板１１５の位置に対応する開口窓２２１Ｌの形成位置が、いずれかのボルト１１１，１１３，１１４を操作可能な位置となる場合には、開口窓２２１Ｌは、複数のスリットや複数の小孔から形成して、工具などが挿入できない構造とすることが望ましい。
【００３４】
［屋外設置機器の盗難防止器の取り付け作業］
次に、上記構成からなる盗難防止器１０を屋外設置機器１００に取り付ける作業について図１及び図１１〜図１４に基づいて説明する。
まず、支柱２０１に設置され、スピーカー１０１の角度調節も終わった状態のスピーカー装置１００に対して、図１１に示すように、ヒンジ部材２６を中心として互いに開いた状態にある一対のカバー体２０Ｌ，２０Ｒにより固定部材１１０及び支持部材１２０を挟み込むようにして盗難防止器１０を装着する。
【００３５】
そして、図１２に示すように、取り付け部２１３Ｌ，２１３Ｒが密着した状態となるまで一対のカバー体２０Ｌ，２０Ｒを互いに回動させる。これにより、各ボルト１１１，１１３，１１４が一対のカバー体２０Ｌ，２０Ｒの内側領域内に収容される。
この時、スピーカー１０１と支持部材１２０の基端部１２２との間の固定ボルト１１１と取り付けボルト１１３，１１３は一対のカバー体２０Ｌ，２０Ｒの開口部２８を介して外部から操作可能な状態にある。
【００３６】
さらに、図１３に示すように、スピーカー１０１と支持部材１２０の基端部１２２との間に上方から遮蔽板３０を挿入する。
この時、図１４に示すように、遮蔽板３０の各固定片３３，３３を一対のカバー体２０Ｌ，２０Ｒの各挿入孔２１５Ｌ，２１５Ｒに挿入し、密着した状態にある各取り付け部２１３Ｌ，２１３Ｒをスリット部３４に挿入させる。これにより、スピーカー１０１と支持部材１２０の基端部１２２との間の固定ボルト１１１と取り付けボルト１１３，１１３は遮蔽板３０に遮蔽され、外部から操作できない状態となる。
【００３７】
そして、図１に示すように、遮蔽板３０のスリット部３４から上方に突出した取り付け部２１３Ｌ，２１３Ｒの貫通穴２１４Ｌ，２１４Ｒに吊り金７１を挿入して錠前７０を施錠する。
これにより、遮蔽板３０は取り付け部２１３Ｌ，２１３Ｒから抜けなくなり、一対のカバー体２０Ｌ，２０Ｒは互いに離隔することができなくなるので、錠前７０を開錠しない限り、盗難防止器１０が屋外設置機器１００から取り外せない状態となる。
そして、盗難防止器１０はスピーカー装置１００の全てのボルト１１１，１１３，１１４に対して外部から操作できない状態を維持するので、スピーカー装置１００の全体を支柱２０１から外したり、固定部材１１０から支持部材１２０及びスピーカー１０１を外したり、支持部材１２０からスピーカー１０１のみを外したりする、スピーカー装置１００の全部又は一部についての盗難行為を効果的に防止することができる。
【００３８】
［第一の実施形態の技術的効果］
上記盗難防止器１０は、断面形状が凹状である一対のカバー体２０Ｌ，２０Ｒを備え、その内側領域にスピーカー装置１００の各部を固定するボルト１１１，１１３，１１４を収容することができるので、外部から各ボルト１１１，１１３，１１４への操作を阻み、スピーカー装置１００の全部或いは一部のみについても、効果的に盗難を防止することが可能である。
【００３９】
また、一対のカバー体２０Ｌ，２０Ｒに錠前の取り付け部２１３Ｌ，２１３Ｒを設け、一対のカバー体２０Ｌ，２０Ｒの装着状態を錠前７０で維持することを可能としているので、工具によりスピーカー装置１００から盗難防止器１０を容易に取り外せないようにすることができ、より効果的に盗難を防止することが可能である。
また、錠前７０の使用を可能とするので、盗難防止器１０の装着作業に工具を不要とすることができ、装着作業の簡易化、迅速化及び作業負担の軽減を図ることが可能となる。
【００４０】
また、一対のカバー体２０Ｌ，２０Ｒは、ヒンジ部材２６により連結されているので、装着前の盗難防止器１０の部品点数を低減することができ、取り付け作業を容易且つ迅速に行うことが可能である。特に高所の取り付け作業の場合には、部品点数が多いと、一部の部品の落下などが生じやすくなるが、そのような作業上の問題を解消し、作業性の向上を図ることが可能である。
また、カバー体２０Ｌ，２０Ｒ同士が連結されているので、取り付け作業時に、カバー体２０Ｌ，２０Ｒ同士を位置合わせするなどの手間を不要とすることができ、この点からも取り付け作業を容易且つ迅速に行うことが可能である。
【００４１】
また、一対のカバー体２０Ｌ，２０Ｒは、連結した時の形状が直方体形状であるため、形状が複雑である場合と比べて製造が容易となり、生産性の向上を図ることが可能である。また、上記形状により、運搬が容易となり、さらに、かさばらない形状であることから、狭いスペースに保管することも可能である。
【００４２】
また、一対のカバー体２０Ｌ，２０Ｒは、その前側部分を上面部２１Ｌ，２１Ｒ、下面部２３Ｌ，２３Ｒ、前面部２４Ｌ，２４Ｒについて切り欠いて開口部２８を形成することで、スピーカー装置１００の支持部材１２０の間のスペースを開放する構造としているため、一対のカバー体２０Ｌ，２０Ｒがスピーカー１０１を角度調節の妨げとならず、調節角度範囲を広く確保することが可能である。
そして、上記切り欠きによる開口部２８を形成することで外部からの操作が可能となる一部のボルト１１１，１１３，１１３に対しては、遮蔽板３０を一対のカバー体２０Ｌ，２０Ｒに装備することで外部からの操作を阻み、高い盗難防止性能を維持することを可能としている。
さらに、上記遮蔽板３０は、スリット部３４により取り付け部２１３Ｌ，２１３Ｒを介して一対のカバー体２０Ｌ，２０Ｒの隙間の発生を防止することができ、より効果的に盗難を防止することが可能である。
また、上記遮蔽板３０は、取り付け部２１３Ｌ，２１３Ｒを挿入させるスリット部３４を有し、一対のカバー体２０Ｌ，２０Ｒを装着状態に維持する錠前７０により一対のカバー体２０Ｌ，２０Ｒに対する遮蔽板３０の固定を行っているので、遮蔽板３０の取り付け作業を容易且つ迅速とし、作業負担の低減を図ることを可能としている。
なお、挿入口４２は、図示のようなスリットに限定されず、例えば、筒状であっても良い。
【００４３】
［第二の実施形態］
第一の実施形態では、盗難防止器１０の一対のカバー体２０Ｌ，２０Ｒをヒンジ部材２６により連結している場合を例示したが、一対のカバー体２０Ｌ，２０Ｒを相互に分離可能としても良い。
例えば、図１５に示すように、ヒンジ部材２６で連結する替わりに、一方のカバー体２０Ｒの後面部２５Ｒに、他方のカバー体２０Ｌに向かう方向（例えば、Ｙ軸方向）に沿って延出された延出部４１を設け、他方のカバー体２０Ｌには、延出部４１を挿入可能とする挿入口４２を設ける構成としても良い。この場合、一方のカバー体２０Ｒの延出部４１を他方のカバー体２０Ｌの挿入口４２に挿入して一対のカバー体２０Ｌ，２０Ｒを相互に合体させた後に、錠前の取り付け部２１３Ｌ，２１３Ｒの貫通穴２１４Ｌ，２１４Ｒに吊り金７１を挿入して錠前７０を施錠することにより、スピーカー装置１００に対する一対のカバー体２０Ｌ，２０Ｒの装着状態を維持することが可能となる。
この場合には、装着前の一対のカバー体２０Ｌ，２０Ｒを分離した状態で持ち運びしなければならないが、ヒンジ部材２６を不要とし、一対のカバー体２０Ｌ，２０Ｒを部品点数の少ない簡易な構造とすることができ、盗難防止器１０の生産の容易化を図ることが可能となる。
【００４４】
［第三の実施形態］
第一の実施形態では、支持部材１２０の基端部１２２を固定部材１１０に固定するボルト１１１，１１３，１１３を遮蔽する遮蔽板３０を一対のカバー体２０Ｌ，２０Ｒから分離可能とする場合を例示したが、遮蔽板はこのような形態に限定されるものではない。
例えば、図１６及び図１７に示すように、一対のカバー体２０Ｌ，２０Ｒの上面部２１Ｌ，２１Ｒの矩形の切り欠き部２１２Ｌ，２１２Ｒの前端部に対して、遮蔽板５１Ｌ，５１Ｒをそれぞれヒンジ構造を介してＹ軸回りに回動可能に装備しても良い。
この場合、図１６に示すように、遮蔽板５１Ｌ，５１Ｒを上側に跳ね上げた状態で一対のカバー体２０Ｌ，２０Ｒを互いに近接する方向に回動させてスピーカー装置１００に装着する。
そして、一対のカバー体２０Ｌ，２０Ｒの装着後は、各遮蔽板５１Ｌ，５１Ｒを下方に回動させて下ろして、前述したボルト１１１，１１３，１１３を外部から遮蔽する。
【００４５】
一方、一対のカバー体２０Ｌ，２０Ｒには、前述した錠前の取り付け部２１３Ｌ，２１３Ｒに替えて、下面部２３Ｌ，２３Ｒの矩形の切り欠き部２３２Ｌ，２３２Ｒの前端部から下方に向かって延出された錠前の取り付け部２３３Ｌ，２３３Ｒが形成されている。
これら取り付け部２３３Ｌ，２３３Ｒは、いずれもＹ−Ｚ平面に沿った平板状に形成されており、いずれもＸ軸方向に沿って貫通した貫通穴２３４Ｌ，２３４Ｒが形成されている。そして、各取り付け部２３３Ｌ，２３３Ｒはその平板面が重合し対向するように、一方の取り付け部２３３ＬがＸ軸方向にオフセットした配置で形成されており、貫通穴２３４Ｌ，２３４ＲはＸ軸方向に沿った同一線上に形成されている。
【００４６】
また、下に下ろした状態における各遮蔽板５１Ｌ，５１Ｒの下端部にも、錠前の取り付け部５２Ｌ，５２Ｒが形成されている。
これら取り付け部５２Ｌ，５２Ｒは、いずれもＹ−Ｚ平面に沿った平板状に形成されており、いずれもＸ軸方向に沿って貫通した貫通穴５３Ｌ，５３Ｒが形成されている。そして、各取り付け部５２Ｌ，５２Ｒはその平板面が重合し対向するように、一方の取り付け部５２ＲがＸ軸方向にオフセットした配置で形成されており、貫通穴５３Ｌ，５３Ｒは、前述した取り付け部２３３Ｌ，２３３Ｒの貫通穴２３４Ｌ，２３４Ｒと共にＸ軸方向に沿った同一線上となるように形成されている。
【００４７】
これらにより、図１８に示すように、各遮蔽板５１Ｌ，５１Ｒを下に下ろすと、錠前の取り付け部５２Ｌ，５１Ｒ，２３３Ｌ，２３３ＲがＸ軸方向に並び、それぞれの貫通穴５３Ｌ，５３Ｒ，２３４Ｌ，２３４Ｒが全て同一線上に並んだ状態となるので、これらに錠前７０の吊り金７１を同時に挿入し、施錠することにより、一対のカバー体２０Ｌ，２０Ｒの装着状態を維持し、且つ、遮蔽板５１Ｌ，５１Ｒの遮蔽状態を維持することが可能となる。
【００４８】
かかる構成により、一対のカバー体２０Ｌ，２０Ｒと遮蔽板５１Ｌ，５１Ｒとが非装着状態にあっても分離を生じないので、装着時の作業性をより向上させることが可能となる。
【００４９】
［その他］
屋外設置機器の盗難防止器１０は、屋外設置機器としてスピーカー装置１００に限らず、例えば、ランプ等の照明装置や監視カメラなど、屋外に設置されるあらゆる機器について盗難防止の対象とすることが可能である。
【符号の説明】
【００５０】
１０  盗難防止器
２０Ｌ，２０Ｒ  カバー体
２６  ヒンジ部材
２８  開口部
３０  遮蔽板
３３，３３  固定片
３４  スリット部（挿入穴）
４１   延出部
４２   挿入口
５１Ｌ，５１Ｒ  遮蔽板
５３Ｌ，５３Ｒ  錠前の取り付け部
５３Ｌ，５３Ｒ  貫通穴
７０  錠前
７１  吊り金
１００  スピーカー装置（屋外設置機器）
１０１  スピーカー（機器本体）
１１０  固定部材
１１１  固定ボルト（機器固定用のネジ）
１１３  取り付けボルト（機器固定用のネジ）
１１４  支持ボルト（機器固定用のネジ）
１１５ 銘板
１２０  支持部材
１２１  アーム部
１２２  基端部
１５０  装着部
２０１  支柱
２１１Ｌ，２１１Ｒ，２３１Ｌ，２３１Ｒ  半円形の切り欠き部
２１２Ｌ，２１２Ｒ，２３２Ｌ，２３２Ｒ  矩形の切り欠き部
２１３Ｌ，２１３Ｒ，２３３Ｌ，２３３Ｒ  錠前の取り付け部
２１４Ｌ，２１４Ｒ  貫通穴
２１５Ｌ，２１５Ｒ  挿入孔
２２１Ｌ  開口窓
【図１】
2015012420.tif 000003
【図２】
2015012420.tif 000004
【図３】
2015012420.tif 000005
【図４】
2015012420.tif 000006
【図５】
2015012420.tif 000007
【図６】
2015012420.tif 000008
【図７】
2015012420.tif 000009
【図８】
2015012420.tif 000010
【図９】
2015012420.tif 000011
【図１０】
2015012420.tif 000012
【図１１】
2015012420.tif 000013
【図１２】
2015012420.tif 000014
【図１３】
2015012420.tif 000015
【図１４】
2015012420.tif 000016
【図１５】
2015012420.tif 000017
【図１６】
2015012420.tif 000018
【図１７】
2015012420.tif 000019
【図１８】
2015012420.tif 000020